(57)【要約】【課題】  利用者が欲しい情報と広告とを組み合わせて、効果的に広告を配信する技術を提供する。【解決手段】  移動者１のＲＦＩＤタグ１に記録された情報を読み取り情報をシステム管理装置４に送信するＲＦＩＤ読取装置１−２、広告主ＩＤ、広告情報、広告表示条件、利用者条件をシステム管理装置４に送信する広告主用情報端末３−１、利用者ＩＤ、移動者ＩＤ、移動履歴表示条件をシステム管理装置４に送信する利用者用情報端末２−１、ＲＦＩＤ読取装置１−２からの情報を受信して蓄積し、広告主用情報端末３−１からの情報を受信して広告情報リストを作成し、利用者用情報端末２−１からの情報を受信し、広告情報、及び移動者１の移動履歴情報を利用者用情報端末２−１に送信し、広告配信状況レポートを作成してこれを広告主用情報端末３−１に送信するシステム管理装置４を有する広告配信システム。【選択図】  図１
2006268490.tif 000002
【特許請求の範囲】
【請求項１】
移動者の移動履歴情報、及び広告情報を利用者に提供する広告配信システムのシステム管理装置であって、
移動者ＩＤ、移動者の位置情報、及び位置情報決定日時を受信して蓄積する移動者情報蓄積手段と、
広告主ＩＤ、広告情報、広告表示条件、及び利用者条件を受信して広告情報リストを作成する広告情報リスト作成手段と、
利用者ＩＤ、移動者ＩＤ、及び移動履歴表示条件を受信し、前記広告情報リスト、及び当該利用者ＩＤに基づいて決定した広告情報、並びに当該移動者ＩＤ、当該移動履歴表示条件、及び前記移動者情報蓄積手段に蓄積した情報に基づいて作成した当該移動者の移動履歴情報を当該利用者の端末に送信する広告配信手段と、を有することを特徴とするシステム管理装置。
【請求項２】
前記システム管理装置は、広告配信状況レポートを作成して、これを広告主の端末に送信する広告配信状況レポート送信手段を有することを特徴とする請求項１に記載のシステム管理装置。
【請求項３】
移動者の移動履歴情報、及び広告情報を利用者に提供する広告配信システムであって、
移動者が携帯するＲＦＩＤタグと、
前記ＲＦＩＤタグに記録された移動者ＩＤを読み取り、移動者ＩＤ、ＲＦＩＤ読取装置ＩＤ、及びＩＤ読み取り日時をシステム管理装置に送信するＲＦＩＤ読取装置と、
広告主ＩＤ、広告情報、広告表示条件、及び利用者条件を前記システム管理装置に送信する、広告主が有する広告主用情報端末と、
利用者ＩＤ、移動者ＩＤ、及び移動履歴表示条件を前記システム管理装置に送信する、利用者が有する利用者用情報端末と、
移動者ＩＤ、移動者の位置情報、及び位置情報決定日時を受信して蓄積し、
広告主ＩＤ、広告情報、広告表示条件、及び利用者条件を受信して広告情報リストを作成し、
利用者ＩＤ、移動者ＩＤ、及び移動履歴表示条件を受信し、前記広告情報リスト、及び当該利用者ＩＤに基づいて決定した広告情報、並びに当該移動者ＩＤ、当該移動履歴表示条件、及び前記蓄積した情報に基づいて作成した当該移動者の移動履歴情報を当該利用者の端末に送信し、
広告配信状況レポートを作成してこれを広告主用情報端末に送信する、前記システム管理装置と、を有することを特徴とする広告配信システム。
【請求項４】
前記広告配信状況レポートはＰＯＳシステムの利用者ＩＤを含んでおり、前記広告配信システムはＰＯＳシステム有していることを特徴とする請求項３に記載の広告配信システム。
【請求項５】
移動者の移動履歴情報、及び広告情報を利用者に提供する広告配信システムのシステム管理装置におけるシステム管理方法であって、
移動者情報蓄積手段が、移動者ＩＤ、移動者の位置情報、及び位置情報決定日時を受信して蓄積する移動者情報蓄積ステップと、
広告情報リスト作成手段が、広告主ＩＤ、広告情報、広告表示条件、及び利用者条件を受信して広告情報リストを作成する広告情報リスト作成ステップと、
広告配信手段が、利用者ＩＤ、移動者ＩＤ、及び移動履歴表示条件を受信し、前記広告情報リスト、及び当該利用者ＩＤに基づいて決定した広告情報、並びに当該移動者ＩＤ、当該移動履歴表示条件、及び前記移動者情報蓄積手段に蓄積した情報に基づいて作成した当該移動者の移動履歴情報を当該利用者の端末に送信する広告配信ステップと、を有することを特徴とするシステム管理方法。
【請求項６】
前記システム管理方法は、広告配信状況レポート送信手段が、広告配信状況レポートを作成して、これを広告主の端末に送信する広告配信状況レポート送信ステップを有することを特徴とする請求項５に記載のシステム管理方法。
【請求項７】
移動者の移動履歴情報、及び広告情報を利用者に提供する広告配信システムにおける広告配信方法であって、
ＲＦＩＤ読取装置が、移動者が携帯するＲＦＩＤタグに記録された移動者ＩＤを読み取り、移動者ＩＤ、ＲＦＩＤ読取装置ＩＤ、及びＩＤ読み取り日時をシステム管理装置に送信するＲＦＩＤ読取送信ステップと、
広告主用情報端末が、広告主ＩＤ、広告情報、広告表示条件、及び利用者条件を前記システム管理装置に送信する、広告主が有する広告主情報送信ステップと、
利用者用情報端末が、利用者ＩＤ、移動者ＩＤ、及び移動履歴表示条件を前記システム管理装置に送信する、利用者が有する利用者情報送信ステップと、
前記システム管理装置の移動者情報蓄積手段が、移動者ＩＤ、移動者の位置情報、及び位置情報決定日時を受信して蓄積する移動者情報蓄積ステップと、
前記システム管理装置の広告情報リスト作成手段が、広告主ＩＤ、広告情報、広告表示条件、及び利用者条件を受信して広告情報リストを作成する広告情報リスト作成ステップと、
前記システム管理装置の広告配信手段が、利用者ＩＤ、移動者ＩＤ、及び移動履歴表示条件を受信し、前記広告情報リスト、及び当該利用者ＩＤに基づいて決定した広告情報、並びに当該移動者ＩＤ、当該移動履歴表示条件、及び前記移動者情報蓄積手段に蓄積した情報に基づいて作成した当該移動者の移動履歴情報を当該利用者の端末に送信する広告配信ステップと、
前記システム管理装置の広告配信状況レポート送信手段が、広告配信状況レポートを作成して、これを広告主の端末に送信する広告配信状況レポート送信ステップと、を有することを特徴とする広告配信方法。
【請求項８】
前記広告配信状況レポートはＰＯＳシステムの利用者ＩＤを含んでおり、前記広告配信システムはＰＯＳシステム有していることを特徴とする請求項７に記載の広告配信方法。
【請求項９】
上記の請求項１〜８のいずれか１項に記載の装置、システム、又は方法を、コンピュータプログラムで記載してそれを実行可能にしたことを特徴とするプログラム。
【請求項１０】
上記の請求項１〜８のいずれか１項に記載の装置、システム、又は方法を、コンピュータで実行可能に記載したプログラムを記録したことを特徴とする記録媒体。
【発明の詳細な説明】
【技術分野】
【０００１】
本発明は、広告効果を高める広告配信技術に関するものである。
【背景技術】
【０００２】
利用者の状況にあわせて当該利用者に広告を配信する方式については、様々な提案がされている。
【０００３】
例えば、広告のカテゴリ、広告の配信エリア、及び広告を配信する時間を含む広告配信テーブルを作成し、このテーブルの条件に基づいてユーザの端末に広告を配信する広告提示方法が開示されている(例えば、特許文献１参照。)。
【０００４】
また、自己位置を測位する機能を有した携帯端末を用いて配信する広告を作成し、この広告をあらかじめ設定した条件に適合する端末に配信する広告配信方法が開示されている(例えば、特許文献２参照。)。
【０００５】
また、街頭に設置された広告媒体を閲覧可能エリアにユーザが滞在していることを検出し、ユーザが広告媒体の閲覧を目的に当該エリアに滞在しているときに、ユーザに対して情報を提供する広告配信システムが開示されている(例えば、特許文献３参照。)。
【特許文献１】特開２００２−１４９６８６号広報
【特許文献２】特開２００４−８０５５４号広報
【特許文献３】特開２００４−２８７２９６号広報
【発明の開示】
【発明が解決しようとする課題】
【０００６】
上記の開示されている技術は、いずれも利用者が携帯端末を持ち、当該利用者が居る場所等、そのときの状態に適合した広告を携帯端末に配信し、購買行動につなげようとするものである。
【０００７】
しかし、このような広告配信では、利用者が広告を必要としないときに広告を配信してしまう可能性がある。このため利用者が広告を見ることに煩わしさを感じるようになり、結果的にユーザの購買行動を惹起するという広告の本来の目的を損ねてしまうおそれがあった。
【０００８】
本発明はこのような事情に鑑みてなされたものであり、利用者が欲しい情報と広告とを組み合わせて、効果的に広告を配信する技術を提供することを目的とする。
【課題を解決するための手段】
【０００９】
そこで、上記課題を解決するために、請求項１に記載の発明は、移動者の移動履歴情報、及び広告情報を利用者に提供する広告配信システムのシステム管理装置であって、移動者ＩＤ、移動者の位置情報、及び位置情報決定日時を受信して蓄積する移動者情報蓄積手段と、広告主ＩＤ、広告情報、広告表示条件、及び利用者条件を受信して広告情報リストを作成する広告情報リスト作成手段と、利用者ＩＤ、移動者ＩＤ、及び移動履歴表示条件を受信し、前記広告情報リスト、及び当該利用者ＩＤに基づいて決定した広告情報、並びに当該移動者ＩＤ、当該移動履歴表示条件、及び前記移動者情報蓄積手段に蓄積した情報に基づいて作成した当該移動者の移動履歴情報を当該利用者の端末に送信する広告配信手段と、を有することを特徴とする。
【００１０】
また、請求項２に記載の発明は、前記システム管理装置は、広告配信状況レポートを作成して、これを広告主の端末に送信する広告配信状況レポート送信手段を有することを特徴とする。
【００１１】
また、請求項３に記載の発明は、移動者の移動履歴情報、及び広告情報を利用者に提供する広告配信システムであって、移動者が携帯するＲＦＩＤタグと、前記ＲＦＩＤタグに記録された移動者ＩＤを読み取り、移動者ＩＤ、ＲＦＩＤ読取装置ＩＤ、及びＩＤ読み取り日時をシステム管理装置に送信するＲＦＩＤ読取装置と、広告主ＩＤ、広告情報、広告表示条件、及び利用者条件を前記システム管理装置に送信する、広告主が有する広告主用情報端末と、利用者ＩＤ、移動者ＩＤ、及び移動履歴表示条件を前記システム管理装置に送信する、利用者が有する利用者用情報端末と、移動者ＩＤ、移動者の位置情報、及び位置情報決定日時を受信して蓄積し、広告主ＩＤ、広告情報、広告表示条件、及び利用者条件を受信して広告情報リストを作成し、利用者ＩＤ、移動者ＩＤ、及び移動履歴表示条件を受信し、前記広告情報リスト、及び当該利用者ＩＤに基づいて決定した広告情報、並びに当該移動者ＩＤ、当該移動履歴表示条件、及び前記蓄積した情報に基づいて作成した当該移動者の移動履歴情報を当該利用者の端末に送信し、広告配信状況レポートを作成してこれを広告主用情報端末に送信する、前記システム管理装置と、を有することを特徴とする。
【００１２】
また、請求項４に記載の発明は、前記広告配信状況レポートはＰＯＳシステムの利用者ＩＤを含んでおり、前記広告配信システムはＰＯＳシステム有していることを特徴とする。
【００１３】
また、請求項５に記載の発明は、移動者の移動履歴情報、及び広告情報を利用者に提供する広告配信システムのシステム管理装置におけるシステム管理方法であって、移動者情報蓄積手段が、移動者ＩＤ、移動者の位置情報、及び位置情報決定日時を受信して蓄積する移動者情報蓄積ステップと、広告情報リスト作成手段が、広告主ＩＤ、広告情報、広告表示条件、及び利用者条件を受信して広告情報リストを作成する広告情報リスト作成ステップと、広告配信手段が、利用者ＩＤ、移動者ＩＤ、及び移動履歴表示条件を受信し、前記広告情報リスト、及び当該利用者ＩＤに基づいて決定した広告情報、並びに当該移動者ＩＤ、当該移動履歴表示条件、及び前記移動者情報蓄積手段に蓄積した情報に基づいて作成した当該移動者の移動履歴情報を当該利用者の端末に送信する広告配信ステップと、を有することを特徴とする。
【００１４】
また、請求項６に記載の発明は、前記システム管理方法は、広告配信状況レポート送信手段が、広告配信状況レポートを作成して、これを広告主の端末に送信する広告配信状況レポート送信ステップを有することを特徴とする。
【００１５】
また、請求項７に記載の発明は、移動者の移動履歴情報、及び広告情報を利用者に提供する広告配信システムにおける広告配信方法であって、ＲＦＩＤ読取装置が、移動者が携帯するＲＦＩＤタグに記録された移動者ＩＤを読み取り、移動者ＩＤ、ＲＦＩＤ読取装置ＩＤ、及びＩＤ読み取り日時をシステム管理装置に送信するＲＦＩＤ読取送信ステップと、広告主用情報端末が、広告主ＩＤ、広告情報、広告表示条件、及び利用者条件を前記システム管理装置に送信する、広告主が有する広告主情報送信ステップと、利用者用情報端末が、利用者ＩＤ、移動者ＩＤ、及び移動履歴表示条件を前記システム管理装置に送信する、利用者が有する利用者情報送信ステップと、前記システム管理装置の移動者情報蓄積手段が、移動者ＩＤ、移動者の位置情報、及び位置情報決定日時を受信して蓄積する移動者情報蓄積ステップと、前記システム管理装置の広告情報リスト作成手段が、広告主ＩＤ、広告情報、広告表示条件、及び利用者条件を受信して広告情報リストを作成する広告情報リスト作成ステップと、前記システム管理装置の広告配信手段が、利用者ＩＤ、移動者ＩＤ、及び移動履歴表示条件を受信し、前記広告情報リスト、及び当該利用者ＩＤに基づいて決定した広告情報、並びに当該移動者ＩＤ、当該移動履歴表示条件、及び前記移動者情報蓄積手段に蓄積した情報に基づいて作成した当該移動者の移動履歴情報を当該利用者の端末に送信する広告配信ステップと、前記システム管理装置の広告配信状況レポート送信手段が、広告配信状況レポートを作成して、これを広告主の端末に送信する広告配信状況レポート送信ステップと、を有することを特徴とする。
【００１６】
また、請求項８に記載の発明は、前記広告配信状況レポートはＰＯＳシステムの利用者ＩＤを含んでおり、前記広告配信システムはＰＯＳシステム有していることを特徴とする。
【００１７】
また、請求項９に記載の発明は、上記の請求項１〜８のいずれか１項に記載の装置、システム、又は方法を、コンピュータプログラムで記載してそれを実行可能にしたことを特徴とする。
【００１８】
また、請求項１０に記載の発明は、上記の請求項１〜８のいずれか１項に記載の装置、システム、又は方法を、コンピュータで実行可能に記載したプログラムを記録したことを特徴とする。
【００１９】
請求項１、５、９及び１０に記載の発明では、利用者は端末を用いて移動者の所在を確認することができ、この確認と同時に、広告主は広告を配信することができる。
【００２０】
請求項２、３、６、７、９及び１０に記載の発明では、広告主は広告配信状況レポートを受け取って、広告の配信情報を確認することができる。
【００２１】
請求項４、８、９及び１０に記載の発明では、広告配信状況レポートに含まれるＰＯＳシステムの利用者ＩＤにより、利用者の販売履歴情報を自動的に抽出できる。
【発明の効果】
【００２２】
請求項１、５、９及び１０に記載の発明によれば、移動者の所在を確認できるという安心感から、広告に対する受容性を高めることが可能である。
【００２３】
また、請求項２、３、６、７、９及び１０に記載の発明によれば、広告主は広告配状況レポートを受け取ることで、購買と広告との関係を検討することができる。
【００２４】
また、請求項４、８、９及び１０に記載の発明によれば、利用者の販売履歴情報を自動的に抽出できるので、購買と広告との関係を効率よく検討することが可能である。
【発明を実施するための最良の形態】
【００２５】
以下、本発明の実施形態を図面を用いて説明する。
【００２６】
(広告配信システムの構成)
図１は広告配信システムの構成図である。図１に示すように、広告配信システムは、移動者１が携帯するＲＦＩＤタグ１−１、このＲＦＩＤタグ１−１の情報を読み取るＲＦＩＤ読取装置１−２、利用者２へ広告、及び移動者位置情報を提供するシステム管理装置４、利用者２がシステム管理装置４にアクセスして所在を確認しようとしている移動者、及び移動履歴の表示条件（例えば、時間帯等）を指定するために利用者２が携帯する利用者用情報端末２−１、並びに広告主３が利用者２への広告配信状況確認に用いる広告主用情報端末３−１を有している。そして、システム管理装置４と、ＲＦＩＤ読取装置１−２、利用者用情報端末２−１、及び広告主用情報端末３−１とは、それぞれ通信ネットワーク６−１、６−２、及び６−３により接続している。
【００２７】
(広告配信システムにおける処理)
図２は広告システムにおける情報フロー図、図３は広告システムの処理フロー図である。この図２、及び図３を用いて広告システムの処理フローを説明する。
【００２８】
移動者１は、移動者１を識別するための移動者ＩＤ情報が記録されたＲＦＩＤタグ１−１を携行している。この移動者１が、ＲＦＩＤ読取装置１−２の設置された、例えば、電柱のそばを通ると、ＲＦＩＤタグ１−１はＲＦＩＤ読取装置１−２からの電磁波を受けて、ＲＦＩＤタグ１−１に記録されている移動者ＩＤ情報を載せた電磁波を放出する(Ｓ１)。
【００２９】
ＲＦＩＤタグ１−１が放出した移動者ＩＤ情報を読み取ったＲＦＩＤ読取装置１−２は、移動者ＩＤ情報、ＲＦＩＤタグ読取装置１−２を識別するためのＲＦＩＤ読取装置ＩＤ情報、及び移動者ＩＤ情報を読み取った日時を、例えば、ＩＳＤＮ網のような通信ネットワーク６−１を通じて、システム管理装置４に送信する(Ｓ２)。
【００３０】
システム管理装置４は、ＲＦＩＤタグ読取装置１−２から逐次送られてくる上記情報をデータベースとして蓄積しておく(Ｓ３)。
【００３１】
広告主３は、広告主用情報端末３−１から、広告情報（例えば、広告ＩＤ情報、及び広告表示用のＨＴＭＬファイル）、広告表示条件（例えば、常時表示する、ローテーションで表示する）、及びその広告を読んでもらいたい利用者の条件（例えば、性別、年齢、及び居住エリア）を、システム管理装置４に接続された、例えば、ＩＰ−ＶＰＮのような通信ネットワーク６−３を通じて、システム管理装置４に送信し、登録する(Ｓ４)。
【００３２】
システム管理装置４では、広告主用情報端末３−１から受信した情報と、あらかじめ登録しておいた利用者情報(例えば、利用者ＩＤ情報、性別、年齢、及び居住エリア等)とを照らし合わせて、利用者２ごとに、表示候補となる広告情報のリストを作成する(Ｓ５)。
【００３３】
利用者２は、利用者用情報端末２−１から、例えば、インターネットのような通信ネットワーク６−２を通じてシステム管理装置４にアクセスし、所在を確認しようとしている移動者１、及び移動履歴の表示条件（例えば、時間帯）を指定する(Ｓ６)。
【００３４】
システム管理装置４は、その利用者２に対応する広告情報、及び移動者１の移動履歴を利用者用情報端末２−１に送信し(Ｓ７)、かつ、利用者２を識別するための利用者ＩＤ情報、広告を識別するための広告ＩＤ情報、及び広告を配信した日時をシステム管理装置４に蓄積する(Ｓ８)。
【００３５】
システム管理装置４は、指定された期間ごとに、利用者２を識別するための利用者ＩＤ情報、広告を識別するための広告ＩＤ情報、及び広告を配信した日時を含む広告配信状況レポートを作成して広告主用情報端末３−１に送信する(Ｓ９)。
【００３６】
広告主３は、広告主用情報端末３−１によりレポートを閲覧し、購買状況の分析に活用する(Ｓ１０)。
【００３７】
（ＰＯＳシステム）
特に、広告主３の店舗にＰＯＳシステム３−２が導入されている場合であれば、システム管理装置４に利用者情報を登録する際にＰＯＳシステム３−２の利用者ＩＤ情報も登録することで、Ｓ９の広告配信状況レポートにＰＯＳシステムでの利用者ＩＤ情報を含めることができる。そうすることで、そのＰＯＳシステムでの利用者ＩＤ情報をキーに、ＰＯＳシステムの購買状況データと広告配信情報とを容易に対応付けることができるので、広告が当該広告に係る商品の購買につながったかどうかの分析を効率的に行うことができる。
【００３８】
なお、ＰＯＳシステム３−２は、広告主用情報端末３−１に接続させてもよいし、広告主用情報端末３−１に接続していなくともよい。ＰＯＳシステム３−２と広告主用情報端末３−１とが接続している場合であれば、広告主用情報端末３−１が受信したＰＯＳシステムでの利用者ＩＤ情報をＰＯＳシステムに送信することで、利用者の販売履歴情報を自動的に抽出できる。また、ＰＯＳシステム３−２と広告主用情報端末３−１とが接続していない場合であれば、例えば、広告主用情報端末３−１が受信したＰＯＳシステムでの利用者ＩＤ情報をディスプレイに表示し、このＰＯＳシステムでの利用者ＩＤ情報を広告主がＰＯＳシステム３−２に入力することで、利用者の販売履歴情報を自動的に抽出できる。
【００３９】
(システム管理装置の構成例)
上記処理を行うにあたり、システム管理装置４は、以下の手段を備えることができる。
(１)移動者ＩＤ、移動者の位置情報、及び位置情報決定日時を受信して蓄積する移動者情報蓄積手段。
(２)広告主ＩＤ、広告情報、広告表示条件、及び利用者条件を受信して広告情報リストを作成する広告情報リスト作成手段。
(３)利用者ＩＤ、移動者ＩＤ、及び移動履歴表示条件を受信し、前記広告情報リスト、及び当該利用者ＩＤに基づいて決定した広告情報、並びに当該移動者ＩＤ、当該移動履歴表示条件、及び前記移動者情報蓄積手段に蓄積した情報に基づいて作成した当該移動者の移動履歴情報を当該利用者の端末に送信する広告配信手段。
(４)広告配信状況レポートを作成して、これを広告主の端末に送信する広告配信状況レポート送信手段。
【００４０】
(実施形態の変形例)
図１に記載の広告配信システムにおいて、移動者１はＲＦＩＤタグ１−１以外に、携帯電話を携帯してもよい。移動者１が携帯電話を携帯する場合は、携帯電話は移動者ＩＤ情報(電話番号等)を各地域の基地局に送信する。そして、基地局はこの情報を制御局に送信し、制御局は、移動者ＩＤ情報、基地局の位置情報、及び移動者ＩＤ情報の受信日時をシステム管理装置４に送信する。システム管理装置４は、これらの情報を用いて上記実施形態と同様の処理を行う。
【００４１】
また、ＥＴＣシステムにおいて自動車を移動者１とみなして、自動車が料金所を通過する際に、車載コンピュータが移動者ＩＤ情報をゲートに送信し、ゲートが移動者ＩＤ情報、料金所の位置情報、及び移動者ＩＤ情報の受信日時をシステム管理装置４に送信するようにしてもよい。システム管理装置４は、これらの情報を用いて上記実施形態と同様の処理を行う。
【００４２】
また、移動者１が携帯する携帯電話、又は自動車にＧＰＳ機能を備えさせることも可能である。携帯電話がＧＰＳ機能を有する場合には、携帯電話は、移動者ＩＤ情報、端末が衛星から送信される電波に基づいて算出した位置情報、及び位置情報を算出した日時情報を基地局、及び制御局を介してシステム管理装置４に送信する。システム管理装置４は、これらの情報を用いて上記実施形態と同様の処理を行う。
【００４３】
また、システム管理装置４が広告配信状況レポートを作成してこれを広告主用情報端末３−１に送信する、という処理を行わないようにすることも可能である。
【００４４】
以上、本発明の実施形態を具体的に説明したが、これに限定されるものではなく、本発明の主旨を逸脱しない範囲でいろいろな実施形態に変更可能である。
【００４５】
なお、上記実施形態において、システム管理装置４は、例えば、システム管理装置４を構成するコンピュータ装置が有するＣＰＵによって実現され、移動者情報蓄積処理、広告情報リスト作成処理、広告配信処理、及び広告配信状況レポート送信処理などをアプリケーションプログラムとして搭載することができる。
【００４６】
また、移動者情報蓄積処理、広告情報リスト作成処理、広告配信処理、及び広告配信状況レポート送信処理などで行った処理結果、計算結果、当該処理に必要な情報等のデータを内部メモリや外部記憶装置等に書き込み・読み出しができるようにしてもよい。
【００４７】
また、システム管理装置４の機能を実現するソフトウェアのプログラムコードを記録した記録媒体を、システム、又は装置に供給し、そのシステム、又は装置のＣＰＵ（ＭＰＵ）が記憶媒体に格納されたプログラムコードを読み出し実行することも可能である。この場合、記憶媒体から読み出されたプログラムコード自体が上記実施形態の機能を実現することになり、このプログラムコードを記憶した記憶媒体としては、例えば、ＣＤ−ＲＯＭ、ＤＶＤ−ＲＯＭ、ＣＤ−Ｒ、ＣＤ−ＲＷ、ＭＯ、及びＨＤＤ等がある。
【図面の簡単な説明】
【００４８】
【図１】広告配信システムの構成図。
【図２】広告システムにおける情報フロー図。
【図３】広告システムの処理フロー図。
【符号の説明】
【００４９】
１…移動者
１−１…ＲＲＩＤタグ
１−２…ＲＦＩＤタグ読取装置
２…利用者
２−１…利用者用情報端末
３…広告主
３−１…広告主用情報端末
３−２…ＰＯＳシステム
４…システム感知装置
６−１…通信ネットワーク
６−２…通信ネットワーク
６−３…通信ネットワーク
【図１】
2006268490.tif 000003
【図２】
2006268490.tif 000004
【図３】
2006268490.tif 000005